(57)【要約】      （修正有）【課題】使用時であっても取り外す必要がなく、特に、電力需給が逼迫する夏季にエネルギー使用効率を高めることができる空気調和機の室外機用の保護カバーを提供する。【解決手段】空気調和機の略直方体形状の室外機用の保護カバーであって、前記室外機の排気面を覆う正面部１ａには多数の通風孔を有し、前記室外機の上面及び両側面をそれぞれ覆う上面部１ｂ及び２つの側面部１ｃは光反射性柔軟素材から形成され、裏面側上部には前記上面部１ｂ裏面側端が下方に延長されて形成されその側辺が前記２つの側面部１ｃの前記裏面側辺に接続され前記室外機の吸気側面の上部により係止される係止部１ｄが設けられるとともに裏面側下部には前記吸気側面下部により係止される紐状体１ｇを有している室外機用の保護カバー。【選択図】図１
0003178401.tif 000002
【実用新案登録請求の範囲】
【請求項１】
空気調和機の略直方体形状の室外機用の保護カバーであって、
前記室外機の排気面を覆う正面部には多数の通風孔を有し、
前記室外機の上面及び両側面をそれぞれ覆う上面部及び２つの側面部は光反射性柔軟素材から形成され、裏面側上部には前記上面部裏面側端が下方に延長されて形成されその側辺が前記２つの側面部の前記裏面側辺に接続され前記室外機の吸気側面の上部により係止される係止部が設けられるとともに、
裏面側下部には前記側面部の裏面側端部のそれぞれの下部に両端が固定されかつ室外機の前記吸気側面の下部により係止される紐状体を有していることを特徴とする室外機用の保護カバー。
【請求項２】
柔軟な素材のみにより構成されていることを特徴とする請求項１に記載の保護カバー。
【請求項３】
前記正面部がメッシュにより構成されていることを特徴とする請求項１または請求項２に記載の室外機用の保護カバー。
【請求項４】
前記正面部が光反射性柔軟素材から形成され、かつ、前記通風孔に、通風時に前記通風孔の開口を確保しかつ非通風時に前記通風孔を塞ぐフラップ部が設けられていることを特徴とする請求項１または請求項２に記載の室外機用の保護カバー。
【請求項５】
前記正面部にロゴ、マーク、及び、模様から選択される１種または２種以上が付与されていることを特徴とする請求項１ないし請求項４のいずれか１項に記載の室外機用の保護カバー。
【考案の詳細な説明】
【技術分野】
【０００１】
本考案は、空気調和機の室外機用の保護カバーに関する。
【背景技術】
【０００２】
空気調和機、とくに、家庭や小規模オフィス、小規模商店で用いられる空気調和機は空冷式の室外機を有するものが一般である。
【０００３】
このような室外機は、屋上や家屋の壁面などに設置されて雨ざらしとなり、あるいは、軒下などの雨水を受ける場所に設置されることが多い。このような場合、室外機は、汚れ易く、周囲の美観を損なうとともに、これら雨水は室外機の当然故障の原因の１つとなり得る。このため、不使用期間にはカバーをかけて保護することも行われる（特許文献１）。
【０００４】
しかし、空気調和機の使用開始時にはこのようなカバーを取り外す必要があるが、快適な気候からの突然の変化時などではこのような作業は忘れがちであり、さらに、上述のように室外機へのアクセスが容易でない場合もあり、室外機用のカバーの設置自体を行わないケースも多い。
【０００５】
夏季には設置場所によっては直射日光により室外機の温度自体が高くなり、冷媒の冷却機能が低下してしまうことがある。
【先行技術文献】
【特許文献】
【０００６】
【特許文献１】特開２００５−１８０８９９号公報
【考案の概要】
【考案が解決しようとする課題】
【０００７】
本考案は、上記した従来の問題点を改善する、すなわち、使用時であっても室外機から外す必要がなく、特に、電力需給が逼迫する夏季にエネルギー使用効率を高めることができる空気調和機の室外機用の保護カバーを提供することを目的とする。
【課題を解決するための手段】
【０００８】
本考案の室外機用の保護カバーは請求項１に記載の通り、空気調和機の略直方体形状の室外機用の保護カバーであって、前記室外機の排気面を覆う正面部には多数の通風孔を有し、前記室外機の上面及び両側面をそれぞれ覆う上面部及び２つの側面部は光反射性柔軟素材から形成され、裏面側上部には前記上面部裏面側端が下方に延長されて形成されその側辺が前記２つの側面部の前記裏面側辺に接続され前記室外機の吸気側面の上部により係止される係止部が設けられるとともに、裏面側下部には前記側面部の裏面側端部のそれぞれの下部に両端が固定されかつ室外機の前記吸気側面の下部により係止される紐状体を有していることを特徴とする室外機用の保護カバーである。
【０００９】
また、本考案の室外機用の保護カバーは、請求項２に記載の通り、請求項１に記載の保護カバーにおいて、柔軟な素材のみにより構成されていることを特徴とする。
【００１０】
また、本考案の室外機用の保護カバーは、請求項３に記載の通り、請求項１または請求項２に記載の保護カバーにおいて、前記正面部がメッシュにより構成されていることを特徴とする。
【００１１】
また、本考案の室外機用の保護カバーは、請求項４に記載の通り、請求項１または請求項２に記載の保護カバーにおいて、前記正面部が光反射性柔軟素材から形成され、かつ、前記通風孔に、通風時に前記通風孔の開口を確保しかつ非通風時に前記通風孔を塞ぐフラップ部が設けられていることを特徴とする。
【００１２】
また、本考案の室外機用の保護カバーは、請求項５に記載の通り、請求項１ないし請求項４のいずれか１項に記載の保護カバーにおいて、前記正面部にロゴ、マーク、及び、模様から選択される１種または２種以上が付与されていることを特徴とする。
【考案の効果】
【００１３】
本考案の室外機用の保護カバーによれば、使用時であっても室外機から取り外す必要がなく、特に、電力需給が逼迫する夏季にエネルギー使用効率を高めることができる。
【図面の簡単な説明】
【００１４】
【図１】図１は本考案に係る室外機用の保護カバーの一例１を示したモデル図である。図１（ａ）保護カバー１の正面部側を示す斜視図である。図１（ｂ）保護カバー１の側面図（面ファスナー１ｅ及び１ｆが開いている状態）である。図１（ｃ）保護カバー１の裏側を示す斜視図である。図１（ｄ）側面部１ｃと平行な面におけるモデル断面図である。
【図２】図２は本考案に係る室外機用の保護カバーの他の一例１’を示したモデル図である。図２（ｂ）側面部１ｃ’と平行な面におけるモデル断面図である。
【考案を実施するための形態】
【００１５】
本考案の室外機用の保護カバーについて、モデル断面図を用いて説明する。
【００１６】
図１は本考案に係る室外機用の保護カバー（以下「保護カバー」とも云う）の一例１を示すモデル断面図である。図１（ａ）は保護カバー１の正面部側を示す斜視図であり、図１（ｂ）は保護カバー１の側面図（面ファスナー１ｅ及び１ｆが開いている状態）である。図１（ｃ）は保護カバー１の裏側を示す斜視図であり、図１（ｄ）は側面部１ｃと平行な面におけるモデル断面図である。
【００１７】
本考案の室外機用の保護カバーは、図１に示すように略直方体形状、すなわち基本的には直方体形状であり、多少の凹凸がある形状であって、その側面の１つが吸気面、この１つの側面と反対側の面が排気面となっている室外機に対応する保護カバーである。
【００１８】
本考案の室外機用の保護カバーは、このような空気調和機の略直方体形状の室外機用の保護カバーであって、室外機の排気面を覆う正面部１ａには多数の通風孔を有している。この例では具体的にはメッシュ素材から形成されている。メッシュは、例えば紡績糸やフィラメント（マルチフィラメントを含む）の編み物、あるいは、織物を用いることができる。さらに、図１（ａ）に図示してあるように、各種ロゴ、マーク、模様等を印刷（スクリーン印刷、グラビア印刷、インクジェット印刷等）することも可能である。
【００１９】
室外機の上面及び両側面をそれぞれ覆う上面部１ｂ及び側面部１ｃは光反射性柔軟素材から形成されている。
【００２０】
光反射性柔軟素材としては、具体的には、アルミニウム、クロム、インジウム、錫、ニッケルおよびこれらの合金などの金属を真空蒸着、ＣＶＤ、イオンプレーティング、プラズマＣＶＤ、スパッタリング等の真空応用技術により成膜したポリエステル系樹脂、ポリオレフィン系樹脂、フッ素系樹脂、アクリル系樹脂、ポリカーボネート系樹脂等から形成されたフィルム（厚さ５〜１００μｍ）を、その金属面に接着剤層を介してターボリンと接着させて積層させた素材、あるいは、ポリエステル系樹脂、ポリオレフィン系樹脂、フッ素系樹脂、アクリル系樹脂、ポリカーボネート系樹脂等から形成されたフィルム（厚さ５〜１００μｍ）をアルミニウムなどの金属粉を混合した接着剤層を介してターボリンと接着して積層させた素材等が挙げられる。このような光反射性柔軟素材をその光反射面を外側にして用いることで、室外機と室外機用の保護カバーとの間に形状や大きさの違いがあった場合でもある程度吸収して利用可能となるとともにその光反射性によって、夏季の強い日差しによる室外機３の温度上昇を防ぎ、エネルギー損失を軽減することができる。さらに、この例では上面部１ｂと室外機３との間にウレタンフォーム、ポリエチレンフォーム、ポリスチレンフォーム、ガラスウール、ロックウール等から構成された断熱部から構成された断熱部材２を介在させており、上記の室外機３の温度上昇防止効果をより高いものとしている。ここで、断熱部材２は上面部２裏面側に、上面部２と一体に、ないし、一体的に設けても良い。
【００２１】
図１（ｃ）で示される裏面側上部には、光反射性柔軟素材から構成される上面部１ｂ裏面側端が下方に延長されて形成されその側辺が面ファスナー１ｆ及び１ｅによって２つの側面部１ｃの裏面側辺に接続され、室外機３の吸気側面の上部により係止される係止部１ｄが設けられる。
【００２２】
図１（ｃ）で示される裏面側下部には側面部１ｃの裏面側端部のそれぞれの下部に両端が固定され、かつ、室外機３の吸気側面の下部により係止される紐状体（この例ではゴム紐）１ｇを有している。
【００２３】
係止部１ｄと紐状体１ｇとにより室外機３に係止（固定）されている構成により、屋外の風の強い場所に設置された室外機のカバーとして用いられて場合であっても、本考案の室外機の保護カバー１は室外機から外れたり、飛ばされることがない。また、室外機３の排気側となる正面部１ａがメッシュにより構成され、かつ、室外機３の吸気側となる裏面側の上部に係止部１ｄ、下部に紐状体１ｇしか存在しないために、室外機３の必要な通気を妨げることがないため、室外機の保護カバー１を取り外すことなく空気調和機を利用することができ、このとき、空気調和機の効率を低下させない。
【００２４】
上記室外機用の保護カバー１では、正面部はメッシュにより構成されている。このために室外機の排気面にはメッシュを通じて日差しが入り込み、このとき、室外機の保温効果が低くなる恐れがある。
【００２５】
このために、図２に示した、室外機用の保護カバーの他の例１’では、正面部１ａ’も室外機用の保護カバー１で上面部１ｂ及び側面部１ｃで用いた光反射性柔軟素材から構成されている。
【００２６】
この例２では正面部１’のみ、室外機用の保護カバー１と構成が異なるので、正面部１’についてのみ説明する。
【００２７】
正面部１’は上述のように光反射性柔軟素材から構成されており、切り込みを入れることで複数の通気孔とそれら複数の通気孔１ａ２’のそれぞれにフラップ１ａ１’を設けた（図２（ａ）ではフラップ１ａの１つは説明のために一部まくり上げた状態として、通気孔１ａ２’が見えるようにしてある）。具体的には通気孔１ａ２’形成時に光反射性柔軟素材に切れ目を入れるが、その際に通気孔１ａ２’の上部にだけは切れ目を入れないことにより、通気孔１ａ２’と同形状を有するフラップ１ａ１’が設けられ、通風時に通風孔１ａ２’の開口を確保しかつ非通風時には通風孔１ａ２’を塞ぐことができる。さらに、通風時であってもフラップ１ａ１’は、通風孔のひさしとなり（図２（ｂ）参照）、開口部１ａ２’への日差しを遮るので、特に太陽高度が高い夏季の日中の日差しの影響を最小限に抑えることができ、電力需給の逼迫の解消に寄与する。
【００２８】
以上、本考案について、好ましい実施形態を挙げて説明したが、本考案の室外機用の保護カバーは、上記実施形態の構成に限定されるものではない。
【００２９】
当業者は、従来公知の知見に従い、本考案の室外機用の保護カバーを適宜改変することができる。このような改変によってもなお本考案の室外機用の保護カバーの構成を具備する限り、もちろん、本考案の範疇に含まれるものである。
【符号の説明】
【００３０】
１、１’    本考案に係る室外機用の保護カバーの一例
１ａ、１ａ’    正面部
１ａ１’    フラップ部
１ａ２’    開口部
１ｂ    上面部
１ｃ    側面部
１ｄ    係止部
１ｅ、１ｆ  面ファスナー
１ｇ    紐状部
【図１】
0003178401.tif 000003
【図２】
0003178401.tif 000004